(57)【要約】【課題】取り付ける際に自装置の影で引掛刃及び引掛刃嵌入孔が見えないような場合に照明装置の取り付けを容易にするための取付補助シートを提供する。【解決手段】補助シート４０１は、被取付部材２０１，２０３の一対の引掛刃嵌入孔２０１ａ，２０３ａに一対の引掛刃を挿入させて照明装置を被取付部材２０１，２０３へ取り付ける際に補助する取付補助シート４０１であって、被取付部材が設置された設置面に取り付け可能な本体４０３を備え、本体４０３は補助するためのマーク（４０５ａ，４０５ｂ）を有し、マーク（４０５ａ，４０５ｂ）は、一対の引掛刃嵌入孔２０１ａ，２０３ａへの挿入位置を結ぶ仮想線上であって、被取付部材２０１，２０３に取り付けられた状態の照明装置を挟んだ外側に位置する。【選択図】図１１
2017045587.tif 000002
【特許請求の範囲】
【請求項１】
被取付部材の一対の引掛刃嵌入孔に一対の引掛刃を挿入させて照明装置を前記被取付部材へ取り付ける際に補助する取付補助シートであって、
前記被取付部材が設置された設置面に取り付け可能な本体を備え、
前記本体は前記補助するためのマークを有し、
前記マークは、前記一対の引掛刃嵌入孔への挿入位置を結ぶ仮想線上であって、前記被取付部材に取り付けられた状態の前記照明装置を挟んだ当該照明装置の外側に位置する
取付補助シート。
【請求項２】
前記本体は、紙シートであり、中央部に前記被取付部材が嵌る貫通孔を有し、
前記マークは前記本体に設けられ且つ前記貫通孔の中心を通る直線である
請求項１に記載の取付補助シート。
【請求項３】
前記本体は前記貫通孔の中心を通り且つ前記直線を結ぶ仮想線と直交する位置を示す補助マークを有する
請求項２に記載の取付補助シート。
【請求項４】
前記本体は菱形状をし、
前記貫通孔は菱形の対角線の交点を中心とする円形状をし、
前記直線は前記菱形の長い方の対角線上に存在する線分であり、
前記補助マークは前記菱形の短い方の対角線上に存在する線分である
請求項３に記載の取付補助シート。
【請求項５】
被取付部材に取り付けられる照明装置と、
前記照明装置を前記被取付部材に取り付けるのを補助する取付補助シートと
を備え、
前記取付補助シートが請求項１〜４の何れか１項に記載の取付補助シートである
照明装置セット。
【発明の詳細な説明】
【技術分野】
【０００１】
本発明は照明装置を被取付部材に取り付けるのを補助する取付補助シートに関する。
【背景技術】
【０００２】
近年、屋内通路などの天井面に取り付けられる照明装置の光源に省電力化に優れたＬＥＤが利用されている。
このような照明装置として、ベースの一方の面側に電源からの給電を受ける部分として引掛刃を備えた引掛シーリングキャップが設けられ、ベースの他方の面側に点灯回路とＬＥＤとが設けられ、点灯回路とＬＥＤとが透光性カバーにより覆われているものが提案されている（例えば特許文献１の図６）。
照明装置の天井面への取り付けは、天井面に設置されている引掛シーリング等の引掛刃嵌入孔に引掛刃を嵌合させることで行われる。
【先行技術文献】
【特許文献】
【０００３】
【特許文献１】特開２００３−８６００６号公報
【発明の概要】
【発明が解決しようとする課題】
【０００４】
上記の照明装置は、引掛シーリング等の被取付部材に取り付ける際、被取付部材の引掛刃嵌入孔及び照明装置の引掛刃が透光性カバーやベースの影になる構造をしている。このため、照明装置を被取付部材に取り付けるのが困難である。
本発明は、取り付ける際に自装置の影で引掛刃及び引掛刃嵌入孔が見えないような場合に照明装置の取り付けを容易にするための取付補助シートを提供することを目的とする。
【課題を解決するための手段】
【０００５】
本発明に係る取付補助シートは、被取付部材の一対の引掛刃嵌入孔に一対の引掛刃を挿入させて照明装置を前記被取付部材へ取り付ける際に補助する取付補助シートであって、前記被取付部材が設置された設置面に取り付け可能な本体を備え、前記本体は前記補助するためのマークを有し、前記マークは、前記一対の引掛刃嵌入孔への挿入位置を結ぶ仮想線分上であって、前記被取付部材に取り付けられた状態の前記照明装置を挟んだ当該照明装置の外側に位置する。
本発明に係る照明装置セットは、被取付部材に取り付けられる照明装置と、前記照明装置を前記被取付部材に取り付けるのを補助する取付補助シートとを備え、前記取付補助シートが上記記載の取付補助シートである。
【発明の効果】
【０００６】
上記構成によれば、被取付部材に対する取り付け時の照明装置の位置がマークにより示唆されているため、引掛刃及び引掛刃嵌入孔が自装置の影で見えないような場合でも照明装置を容易に取り付けることができる。
【図面の簡単な説明】
【０００７】
【図１】実施形態に係る照明装置の斜視図である。
【図２】照明装置の断面斜視図である。
【図３】照明装置の分解した状態を後方から見た斜視図である。
【図４】照明装置の分解した状態を前方から見た斜視図である。
【図５】光源部の分解した状態を後方から見た斜視図である。
【図６】光源部の分解した状態を前方から見た斜視図である。
【図７】被取付部材の例を示す図である。
【図８】補助部品の斜視図である。
【図９】補助部品の斜視図である。
【図１０】補助シートの平面図である。
【図１１】補助シートの使用状態を示す図である。
【図１２】補助シートの変形例を示す図である。
【発明を実施するための形態】
【０００８】
＜概要＞
本発明の一態様に係る取付補助シートは、被取付部材の一対の引掛刃嵌入孔に一対の引掛刃を挿入させて照明装置を前記被取付部材へ取り付ける際に補助する取付補助シートであって、前記被取付部材が設置された設置面に取り付け可能な本体を備え、前記本体は前記補助するためのマークを有し、前記マークは、前記一対の引掛刃嵌入孔への挿入位置を結ぶ仮想線上であって、前記被取付部材に取り付けられた状態の前記照明装置を挟んだ当該照明装置の外側に位置する。
別態様に係る取付補助シートにおいて、前記本体は、紙シートであり、中央部に前記被取付部材が嵌る貫通孔を有し、前記マークは前記本体に設けられ且つ前記貫通孔の中心を通る直線である。これにより、安価に実施できる。
別態様に係る取付補助シートにおいて、前記本体は前記貫通孔の中心を通り且つ前記直線を結ぶ仮想線と直交する位置を示す補助マークを有する。これにより、照明装置をより容易に取り付けることができる。
別態様に係る取付補助シートにおいて、前記本体は菱形状をし、前記貫通孔は菱形の対角線の交点を中心とする円形状をし、前記直線は前記菱形の長い方の対角線上に存在する線分であり、前記補助マークは前記菱形の短い方の対角線上に存在する線分である。これにより容易に実施できる。
【０００９】
＜実施形態＞
引掛刃及び引掛刃嵌入孔が自装置の影で見えないような構造の照明装置の一実施形態を説明し、その後に当該照明装置の取り付けを補助する取付補助シート（以下、単に「補助シート」とする。）について説明する。
【００１０】
１．照明装置
（１）概略
図１〜図４を用いて照明装置の概略を説明する。
照明装置１は光源部３とカバー部５とから構成されている。光源部３とカバー部５とは被取付部材に取り付けられる前の状態において一体に組み合されている。
照明装置１は光源部３に一対の引掛刃７を備え、一対の引掛刃７が被取付部材であるロゼットや引掛シーリング等の引掛刃嵌入孔（図７参照）に嵌合することで、照明装置１が被取付部材に取り付けられる。
被取付部材は、例えば、廊下及び階段等の通路の天井、洗面室及びトイレ等の天井等に取り付けられている。
照明装置１の光出射方向を前方とし、光出射面と対向する状態で照明装置１を見たときに、目視できる側を表側とし、目視できない側を裏側とする。
【００１１】
（２）光源部
主に、図２、図５及び図６を用いて説明する。
光源部３は、一対の引掛部材１１、ベース１３、放熱板１５、電気ユニット１７を備える。
（２−１）引掛部材
引掛部材１１は、被取付部材への機械的接続機能と被取付部材との電気的接続機能を有している。
引掛部材１１は、引掛刃７、固定部分２１及び接続部分２３を一体に有する。引掛刃７は、Ｌ字状をし、固定部分２１から立設する。固定部分２１はベース１３の引掛部材保持部分３５に固定される。固定部分２１は矩形状をしており、その中央部に固定孔２１ａを有している。接続部分２３は電気ユニット１７の基板６１に接続される。接続部分２３は固定部分２１における引掛刃７と反対側に延出している。
【００１２】
（２−２）ベース
ベース１３は、全体として円盤状をし、引掛部材１１を保持する機能、放熱板１５及び電気ユニット１７を固定するための機能を有している。
ベース１３は、円板部分２７、３重同心筒部分（２９，３１，３３）、一対の引掛部材保持部分３５、補強部分３７、固定部分（３９，４１）を有する。
円板部分２７の後面は平坦であり、上記の３重同心筒部分（２９，３１，３３）、一対の引掛部材保持部分３５、補強部分３７、固定部分（３９）は前面側に設けられている。
３重同心筒部分（２９，３１，３３）は、円板部分２７の前面から前方に円筒状に延伸している。円板部分２７の中心側に位置する内筒部分２９と、内筒部分２９の外側に位置する中筒部分３１と、中筒部分３１の外側に位置する外筒部分３３とからなる。
内筒部分２９の内側には、引掛部材保持部分３５が設けられると共に点灯回路を収容する収容空間が形成される。なお、内筒部分２９は、後述する放熱板１５からの熱が点灯回路に伝わるのを遮断する機能も有している。
【００１３】
中筒部分３１及び外筒部分３３は放熱板１５を保持する機能や円板部分２７を補強する機能を有している。なお、円板部分２７における中筒部分３１と外筒部分３３との間には放熱孔４３が設けられている。
引掛部材保持部分３５は、引掛部材１１を円板部分２７の前側で保持する。引掛部材保持部分３５は、引掛部材１１の矩形状の固定部分２１を囲繞するように円板部分２７から前方に延出する囲繞片３５ａと、引掛刃７を円板部分２７から延出させるための延出孔３５ｂと、囲繞片３５ａにより囲まれた領域に設けられたピン穴３５ｃとを有する。ピン穴３５ｃは、引掛刃７を延出孔３５ｂから延出させ且つ固定部分２１を囲繞片３５ａにより囲まれている円板部分２７に当接する状態で、引掛部材１１の固定孔２１ａを挿通する固定ピン用である。なお、固定ピン（図示省略）により引掛部材１１が固定される。
【００１４】
補強部分３７は円板部分２７の前面から前方に延伸し、中筒部分３１及び外筒部分３３を連結している。補強部分３７は周方向に間隔をおいて設けられている。
固定部分（３９）は放熱板１５と基板６１を固定するためのものである。固定にはねじ体４５が利用され、ねじ体４５用のねじ穴３９により構成されている。なお、ねじ穴３９は補強部分３７に連接するボス部分に設けられている。
固定部分（４１）は光源部３をカバー部５の補助カバー７１に固定するためのものである。固定にはねじ体７４（図１〜図４参照）が利用され、ねじ体７４用の貫通孔４１により構成されている。なお、貫通孔４１は外筒部分３３に連接するボス部分４２に設けられている。
外筒部分３３の外周面には後述の放熱板１５を嵌合するための嵌合リブ４７が周方向に間隔をおいて設けられている。
【００１５】
（２−３）放熱板
放熱板１５は、円環状をする円環部分５１と、円環部分５１の内周縁から後方へ張り出す内側後鍔部分５３と、円環部分５１の外周縁から後方へ張り出す外側後鍔部分５５とを有する。
円環部分５１は、ベース１３に固定するためのねじ体４５用の貫通孔５７と、光源部３を補助カバー７１に固定するためのねじ体７４（図１〜図４参照）用の貫通孔５９を有している。放熱板１５は、図２に示すように、内側後鍔部分５３は中筒部分３１の内周側に、外側後鍔部分５５は外筒部分３３の外周側にそれぞれ嵌合する状態で、ベース１３に固定される。
【００１６】
（２−４）電気ユニット
電気ユニット１７は、円板状の基板６１と、基板６１の前面に実装されている複数個のＬＥＤ６３と、基板６１の後面に実装されている複数個の回路部品６５とを有する。
基板６１は、ベース１３に固定するためのねじ体４５用の欠け部６７と、光源部３を補助カバー７１に固定するためのねじ体７４（図１〜図４参照）用の欠け部６９と、引掛部材１１の接続部分２３用の貫通孔７０とを有している。
ＬＥＤ６３は、２重の同心円状に配されている。内側の同心円周上に配置されるＬＥＤ６３の数は、外側に同心円周上に配置されるＬＥＤ６３の数よりも少ない。外側同心円は、前方から光源部３を見たときに放熱板１５上に位置する。これにより効率の良い放熱が行われる。
複数個の回路部品６５は、ＬＥＤ６３を点灯させるための点灯回路を構成する。引掛刃７を介して受電した商用電力をＬＥＤ６３用の直流電力に変換する。回路部品６５は、前方から光源部３を見たときに内側の同心円の内側に位置する。回路部品６５を全て、基板６１の後面に実装することにより、ＬＥＤ６３の搭載面（基板６１の前面）を、反射面とすることが可能になり、光出射効率を高めることができる。
【００１７】
（３）カバー部
図２、図３及び図４を用いて説明する。
カバー部５は補助カバー７１と主カバー７３とを有している。
（３−１）補助カバー
補助カバー７１は、光源部３にねじ体７４により固定され、主カバー７３が装着される。補助カバー７１は、板状の円環状部分７５と、円筒状部分７７と、有底筒状部分７９とを有する。円環状部分７５は、光源部３に固定されると、ベース１３の後面と面一状となる。
円筒状部分７７は、円環状部分７５の外周縁から前方に円筒状に延出する。円環状部分７５と円筒状部分７７とは主カバー７３を装着するための装着部分８１を有している。装着部分８１は、円環状部分７５の外周縁から径方向の外方に突出する突起８３と、円筒状部分７７における突起８３に隣接する部分に設けられた開口８５とから構成される。装着部分８１は周方向に間隔をおいて複数個設けられている。円筒状部分７７は各装着部分８１の周方向の両側に一対の縦溝８７を有している。これにより装着部分８１が径方向の内側に弾性変形可能となり、主カバー７３の装着を容易に行える。
【００１８】
有底筒状部分７９は底に相応する前壁の中央に開口９１を有している。開口９１は、光源部３から光を取り出す光取出口として機能する。有底筒状部分７９は固定部分９３を有している。固定部分９３は光源部３を固定するためのものである。固定部分９３は、底に相当する壁であって開口９１の周辺に後方へ突出するボス９５と、ボス９５に形成されたねじ穴９７とから構成される。有底筒状部分７９は底に相当する壁であって開口９１から凹入する凹み９９を有する。凹み９９は光源部３のねじ体４５との干渉を避けるためのものである。
【００１９】
（３−２）主カバー
主カバー７３は、底部分１０１と筒部分１０３とを有する有底円筒状をしている。筒部分１０３は複数個の固定部分１０５を後端縁に有している。固定部分１０５は補助カバー７１の装着部分８１に係合して固定される。固定部分１０５は周方向に間隔をおいて設けられている。固定部分１０５は、筒部分１０３の後端縁から前方に凹入する欠け１０７と、筒部分１０３の後端部の内面から内方へ突出する突起１０９とから構成される。欠け１０７に補助カバー７１の突起８３が嵌合し、突起１０９は補助カバー７１の開口８５に係合する。これにより主カバー７３が補助カバー７１に固定される。筒部分１０３は内面に複数の段差１１１を有する。段差１１１は、筒部分１０３の中心軸上を底部分１０１から離れるに従って拡径する。つまり、段差１１１は後ろ拡がりである。
【００２０】
２．被取付体
図７を用いて説明する。
照明装置１を設置面（天井等）に取り付けるための被取付部材には、一般的に、同丸型引掛シーリング２０１（同図の（ａ）参照）、角型引掛シーリング２０３（同図の（ｂ）参照）、丸型フル引掛シーリング２０５（同図の（ｃ）参照）、フル丸型引掛ローゼット２０７（同図の（ｄ）参照）等がある。なお、これらは、外部からの商用電力配線が取り込まれ、本体内部の電極に接続されている（図示省略）。
引掛シーリング２０１，２０３，２０５及び引掛ローゼット２０７の前面には、照明装置１の引掛刃７を嵌入させる弓型の引掛刃嵌入孔２０１ａ，２０３ａ，２０５ａ，２０７ａが設けられている。この引掛刃嵌入孔２０１ａ，２０３ａ，２０５ａ，２０７ａに照明装置１の引掛刃７を嵌入させて嵌合させると、引掛刃７と内部の電極とが接触し、照明装置１に電力が供給される。
上記の引掛シーリング２０１，２０３，２０５及び引掛ローゼット２０７への照明装置１の引掛刃７の機械的な取り付け及び電気的な接続構造は、引掛シーリングや引掛ローゼットのタイプの違いに依らない共通である。
【００２１】
３．補助部品
補助部品３０１，３０３は、図８及び図９に示すように、例えば２種類が準備されている。
図８に示す補助部品３０１は、取付面が丸型をした被取付部材用であり、丸型引掛シーリング２０１、丸型フル引掛シーリング２０５、フル丸型引掛ローゼット２０７などに適用できる（図７参照）。補助部品３０１は、図８に示すように、天板部３０１ａの開口部３０１ｂが略円形をなす中空構造の有底円筒形状であり、天板部３０１ａにおける開口部３０１ｂの周縁に引掛シーリング２０１，２０５や引掛ローゼット２０７の外周に係合する係合片３０１ｃが複数個設けられている。
図９に示す補助部品３０３は、取付面が角型をした被取付部材用であり、角型引掛シーリング２０３などに適用できる（図７参照）。補助部品３０３は、図９に示すように、天板部３０３ａの開口部３０３ｂが略長方形をなす中空構造の有底円筒形状であり、天板部３０３ａにおける開口部３０３ｂの周縁から内部へと角筒状に延伸する内壁３０３ｅに引掛シーリング２０３の外周に係合する係合片３０３ｃを複数個有する。
【００２２】
照明装置１の使用者は、引掛シーリングや引掛ローゼットの種類に合わせて、補助部品３０１，３０３を選択し用いることができる。もっとも、後述の補助シート４０１を使用する場合は、補助部品３０１，３０３を使用しなくてもよい。
補助部品３０１，３０３の天板部３０１ａ，３０３ａの前面であって開口部３０１ｂ，３０３ｂの周辺には一対の位置指示３０１ｄ，３０３ｄが設けられている。補助部品３０１，３０３を引掛シーリング２０１，２０３，２０５及び引掛ローゼット２０７に取り付ける際には、この位置指示３０１ｄ，３０３ｄを引掛シーリング２０１，２０３，２０５及び引掛ローゼット２０７の一対の引掛刃嵌入孔２０１ａ，２０３ａ，２０５ａ，２０７ａに合わせる。つまり、一対の引掛刃嵌入孔２０１ａ，２０３ａと一対の位置指示３０１ｄ，３０３ｄとが一直線上に位置するようにする。
なお、引掛シーリングや引掛ローゼット等の被取付部材を一般的に説明するときは、被取付部材２００とし、その引掛刃嵌入孔を符号「２００ａ」とする。
【００２３】
４．補助シート
図１０を用いて説明する。
補助シート４０１は、照明装置１の一対の引掛刃７を被取付部材２００の一対の引掛刃嵌入孔２００ａに挿入させる際に、引掛刃７を引掛刃嵌入孔２００ａに誘導する機能を有する。これにより、照明装置１の被取付部材２００への取り付けを補助できる。
補助シート４０１は少なくとも本体４０３とマーク４０５とを有する。
本体４０３は被取付部材２００が設置された設置面に取り付け可能である。本体４０３はシート材が利用されている。本体４０３は、例えば１枚の紙シートが利用され、その中央部に貫通孔４０７を有している。
貫通孔４０７は、補助シート４０１を被取付部材２００に被せたときに少なくとも引掛刃嵌入孔２００ａを露出させるためのものである。貫通孔４０７は、好ましくは、補助シート４０１を被取付部材２００に被せたときに被取付部材２００が嵌る大きさである。また、後述する照明セットとして補助部品３０１，３０３（図８及び図９参照）が含まれる場合は、補助部品付の被取付部材２００に補助シート４０１を被せたときに補助部品３０１，３０３が嵌る大きさであればよい。なお、貫通孔４０７は円形状をしている。
【００２４】
本体４０３は菱形形状をしている。２本の対角線の交点が貫通孔４０７の中心となっている。本体４０３の大きさは、照明装置１の中心と貫通孔４０７の中心とを一致させたときに、少なくとも一組の対角４０９，４０９（又はマーク４０５における貫通孔４０７から最も離れた部分）が照明装置１よりも外側に位置する大きさであればよい。つまり、対角４０９，４０９を結ぶ対角線の長さが照明装置１の最大寸法より大きければよい。なお、最大寸法は、照明装置１を前方から見た形状が円形状の場合は直径となり、前方から見た形状が正方形状の場合は一辺の長さとなる。
なお、対角４１１，４１１を結ぶ対角線が照明装置１の最大寸法より大きければ、一対の引掛刃嵌入孔２００ａ間の中心位置(中央位置）を推測でき、照明装置１の被取付部材２００への取り付けがより一層容易となる。
【００２５】
本体４０３は、例えば、マーク４０５が記載されている面と反対側の面に設置面への取付具４１３を有している。取付具４１３は例えば両面テープ（片面は未使用である。）が利用され、ここでは、対角線が長い方の対角４０９，４０９の近くに設けられている。
本体４０３は、設置面からの補助シート４０１の取り外しや補助シート４０１のコストを考慮すると、紙シートが好ましい。
マーク４０５は本体４０３の貫通孔４０７を挟んだ両側に一対として設けられている。より具体的には、マーク４０５は、貫通孔４０７の中心を通る仮想線上に設けられている。ここでは、マーク４０５ａ，４０５ｂは長い方の対角線上に位置する直線状の線分として記載されている。
【００２６】
補助シート４０１はマーク４０５以外に補助マーク４１５を有してもよい。補助マーク４１５は、貫通孔４０７の中心を通り且つマーク４０５ａ，４０５ｂが位置する仮想線と直交する仮想線上であって貫通孔４０７を挟んだ２つの位置に設けられている。ここでは、補助マーク４１５は波線で記載されている。被取付部材２００の一対の引掛刃嵌入孔２００ａを結ぶ仮想線上にマーク４０５ａ，４０５ｂが位置するように補助シート４０１を設置面に貼り付けると、２つの補助マーク４１５を結んだ仮想線分上に一対の引掛刃嵌入孔２００ａ間の中心(中央）が位置することになる。なお、長さの長い方の対角線を構成する対角４０９をマーク（４０５）とすることもできるし、長さの短い方の対角線を構成する対角４１１を補助マーク（４１５）とすることもできる。
【００２７】
５．照明装置の取付
照明装置１の取り付けについて補助部品３０１，３０３と補助シート４０１を利用した場合を図１１を用いて説明する。
まず、補助部品３０１，３０３を被取付部材２００の一例（図７参照）である丸型引掛シーリング２０１、角型引掛シーリング２０３に取り付け、取付具４１３を利用して設置面に補助シート４０１を仮止めする。この際、丸形引掛シーリング２１０及び角型引掛シーリング２０３の引掛刃嵌入孔２０１ａ，２０３ａの挿入孔、補助部品３０１，３０３の位置指示３０１ｄ，３０３ｄ及び補助シート４０１のマーク４０５ａ，４０５ｂが一直線状になるようにする。
【００２８】
この状態を前方から見たものが図１１の（ａ）及び（ｂ）である。なお、言うまでもなく、同図の（ａ）は被取付部材が丸型引掛シーリング２０１である場合を示し、同図の（ｂ）は被取付部材が角型引掛シーリング２０３である場合を示している。
補助シート４０１を設置面に取り付けた状態では、２つのマーク４０５ａ，４０５ｂを結ぶ仮想線上に一対の引掛刃嵌入孔２０１ａ，２０３ａが存在する。
【００２９】
次に、照明装置１の一対の引掛刃７を結ぶ仮想線と、補助シート４０１の２つの直線状のマーク４０５ａ，４０５ｂとが一致するように、照明装置１を引掛シーリング２０１，２０３に近づける。
なお、一対の引掛刃７を結ぶ仮想線と２つのマーク４０５ａ，４０５ｂとを一致させるには、例えば、照明装置１の一対の引掛刃７を結ぶ仮想線と、照明装置１のカバー部５の外周との交点をカバー部５の外方から指で押さえ、当該指が補助シート４０１のマーク４０５ａ，４０５ｂ上に位置するようにすればよい。さらに、照明装置１の一対の引掛刃７を結ぶ仮想線上の主カバー７３の底部分１０１の外周端部にシール等により目印を設けると、取り付けるのが容易になる。
【００３０】
そして、照明装置１のカバー部５の外周が２点鎖線で示す円Ｘ１である場合、照明装置１の中心を２つの補助マーク４１５を結ぶ仮想線上に位置するように照明装置１を位置合わせする。これにより、照明装置１の引掛刃７が引掛シーリング２０１，２０３の引掛刃嵌入孔２０１ａ，２０３ａに挿入し易くなり、照明装置１の引掛シーリング２０１，２０３への取り付けを容易に行える。
一方、照明装置１のカバー部５の外周が２点鎖線で示す円Ｘ２である場合、照明装置１の一対の引掛刃７を結ぶ仮想線と補助シート４０１の２つの直線状のマーク４０５ａ，４０５ｂとを一致させた状態で、照明装置１を２つのマーク４０５ａ，４０５ｂに沿って移動させる。これにより、照明装置１の引掛刃７が引掛シーリング２０１，２０３の引掛刃嵌入孔２０１ａ，２０３ａに挿入し易くなり、照明装置１の引掛シーリング２０１，２０３への取り付けを容易に行える。
なお、上記説明では、被取付部材２００に補助部品３０１，３０３が取り付けられていたが、補助部品３０１，３０３がなくてもよい。但し、補助部品３０１，３０３がある方が、被取付部材２００の取付面と面一の面（天板部３０１ａ，３０３ａ）が広くなり、操作性は向上する。
照明装置１が、被取付部材２００に取り付けられた後、設置面の見栄えを良くするために、補助シート４０１を設置面から取り外す。
【００３１】
６．照明装置セット
照明装置セットは、照明装置１と補助シート４０１とを少なくとも含み、補助部品を含んでもよい。このように補助シート４０１を照明装置１とセットにすることで、補助シートを作成したり、別途購入したりする必要がなく、手軽に補助シートを利用できる。
【００３２】
＜変形例＞
１．補助シート
（１）マーク
補助シートはマークを有する本体を備えればよい。実施形態では本体４０３に直線状のマーク（線分）４０５が設けられていたが、例えば実施形態で説明した補助シート４０１の長い方の対角線を構成する２つの対角４０９をマークとすることもできる。同様に、補助シート４０１の短い方の対角線を構成する２つの対角４１１を補助マークとすることもできる。また、マークを粘着シールや粘着テープ等で構成してもよい。さらに、本体自体がマークとして機能してもよい。
【００３３】
（２）形状
実施形態における補助シート４０１の本体４０３は菱形形状をしていたが他の形状であってもよい。他の形状としては、正方形、長方形、楕円形状等がある。本体が円形状をした補助シート５０１について図１２の（ａ）を用いて説明する。
補助シート５０１は、円形状の本体５０３及び一対のマーク５０５，５０５を備える。補助シート５０１は、一対の補助マーク５０７，５０７、一対の取付具５１１，５１１及び一対の切欠き５１３，５１３の少なくとも１つを備えてもよい。
本体５０３は円形状の貫通孔５０９を有し、一対のマーク５０５を結ぶ仮想線と一対の補助マーク５０７を結ぶ仮想線との交点が貫通孔５０９の中心となる。
【００３４】
取付具５１１，５１１は本体５０３の裏面に設けられている。切欠き５１３，５１３は、本体５０３における貫通孔５０９を挟んで対向する外周部に設けられている。切欠き５１３は補助シート５０１を設置面から取り外す際に切り裂く起点となる。なお、切欠き５１３を補助マークとしてもよい。
なお、補助マーク５０７，５０７に代りに、例えばミシン目を設けてもよい。これにより、照明装置１の被取付部材２００への取り付け後に補助シート５０１の取り外しを容易できる。また、貫通孔５０９は被取付部材２００が嵌る大きさであればよく、円形状以外であってもよい。また、貫通孔は、補助部品３０１，３０３を利用する場合は、当該補助部品３０１，３０３が嵌る大きさであればよく、円形状以外であってもよい。
【００３５】
（３）本体の数
実施形態における補助シート４０１の本体４０３は１枚であったが、本体は２枚又は４枚であってもよい。本体の枚数が２枚の補助シート５２１，５４１について図１２の（ｂ）及び（ｃ）を用いて説明する。
補助シート５２１は、同図の（ｂ）に示すように、矩形状の一対の本体５２３，５２３と各本体５２３，５２３に設けられたマーク５２５，５２５とを備える。補助シート５２１は各本体５２３，５２３の裏面に取付具５２７，５２７を備えてもよい。補助シート５２１は、一対の引掛刃嵌入孔２００ａを結ぶ仮想線分上であって被取付部材２００を挟んだ２つの位置に本体５２３のそれぞれを取付具５２７を利用して設ければよい。なお、同図中のＯ１は、一対の引掛刃嵌入孔２００ａを結ぶ仮想線分の中心（中央）を示している。なお、本体４０３そのものをマークとしてもよい。
【００３６】
補助シート５４１は、同図の（ｃ）に示すように、菱形形状の一部が取り除かれたような形状をした一対の本体５４３，５４３と各本体５４３，５４３に設けられたマーク５４５，５４５とを備える。補助シート５４１は各本体５４３，５４３の裏面に取付具５４７，５４７を備えてもよい。一対の本体５４３，５４３における他方の本体５４３，５４３に近い端縁５４９は円弧状をしている。円弧の曲率は、補助部品３０１，３０３の外周の曲率と略一致しており、補助部品３０１，３０３を用いる場合の補助シート５４１の設置面への取り付けを容易に行える。
マーク５４５は、ここでは黒抜きの円形状をしている。この場合も、一対のマーク５４５を結ぶ仮想線上に一対の引掛刃嵌入孔２００ａが位置するように補助シート５４１を設ければよい。補助シート５４１は、一対の引掛刃嵌入孔２００ａを結ぶ仮想線上であって被取付部材２００を挟んだ２つの位置に本体５４３のそれぞれを取付具５４７を利用して設ければよい。なお、同図中のＯ２は、一対の引掛刃嵌入孔２００ａを結ぶ仮想線分の中心(中央）を示している。
なお、マーク５４５は、白抜きであってもよいし、三角形、四角形等の他の形状であってもよい。色も特に限定するものではない。
（４）材料
実施形態の補助シート４０１は紙材を使用していたが、例えば、樹脂フィルムにより構成してもよい。
【００３７】
２．照明装置
実施形態の照明装置１は前方から見たときに円形状をしていたが、四角形状、菱形形状、楕円形状等の他の形状であってもよい。
照明装置１は、廊下及び階段等の通路の天井、洗面室及びトイレ等の天井等に取り付けられる、所謂、小型シーリングライトであった。しかしながら、照明装置は、居間、寝室等に使用されるシーリングライトであってもよい。なお、小型シーリングライトと区別するために、大型シーリングライトとする。
大型シーリングライトとして、上記した小型シーリングライトの構成を利用したものであってもよい。例えば、電気ユニット（１７）を構成している基板（６１）やベース（１３）等を大きくして、基板（６１）に実装するＬＥＤ（６３）の数を増やすことで実施できる。また、基板（６１）を大型化することで、回路部品（６５）の実装面積が広くなり、調光回路や調色回路を構成する回路部品も実装できる。また、ＬＥＤ（６３）を多重環状に配することで大型シーリングライトに要求される光束を確保できる。この場合、環状に配したＬＥＤ（裏面に６３）の裏面に放熱板（１５）を配置することで放熱特性を向上させることができる。カバー部（５）の形状は、例えば、中心から離れるに従って厚みが薄くなるような形状であってもよい。さらに、主カバー（７３）の内側に拡散目的のカバーを有してもよい。
【符号の説明】
【００３８】
１    照明装置
７    引掛刃
２００    被取付部材
２００ａ  引掛刃嵌入孔
４０１    補助シート（取付補助シート）
４０３    本体
４０５    マーク
４０７    貫通孔
４０９    対角
４１１    対角
４１３    取付具
４１５    補助マーク
【図１】
2017045587.tif 000003
【図２】
2017045587.tif 000004
【図３】
2017045587.tif 000005
【図４】
2017045587.tif 000006
【図５】
2017045587.tif 000007
【図６】
2017045587.tif 000008
【図７】
2017045587.tif 000009
【図８】
2017045587.tif 000010
【図９】
2017045587.tif 000011
【図１０】
2017045587.tif 000012
【図１１】
2017045587.tif 000013
【図１２】
2017045587.tif 000014